(57)【要約】【課題】電源装置におけるＥＭＩの発生とスイッチング素子の温度上昇とのいずれを抑制するかを該電源装置が映像表示パネルに供給する電力に応じて調整することが可能な映像表示装置を提供すること。【解決手段】テレビジョン受像機Ｘは，映像を表示する液晶パネル１８と，入力されるスイッチング信号によりスイッチング動作をすることによって，液晶パネル１８に供給する電力を制御するＦＥＴ１１ａ，１１ｂを含むＤＣ−ＤＣコンバータ１０とを備えてなり，ＤＣ−ＤＣコンバータ１０が液晶パネル１８に供給する電力に応じて，スイッチ１３ａ，１３ｂによるゲート用抵抗１２ａ，１２ｂの両端の短絡の有無を切り換えることによって，ＦＥＴ１１ａ，１１ｂへのスイッチング信号の入力経路の抵抗値を設定する。【選択図】図１
2011078193.tif 000002
【特許請求の範囲】
【請求項１】
映像を表示する映像表示パネルと，
入力されるスイッチング信号によりスイッチング動作をすることによって，前記映像表示パネルに供給する電力を制御するスイッチング素子を含む電源装置と，
前記電源装置が前記映像表示パネルに供給する電力に応じて，前記スイッチング素子への前記スイッチング信号の入力経路の抵抗値を設定する抵抗値設定手段と，
を具備してなる映像表示装置。
【請求項２】
前記映像表示パネル及び／又は前記電源装置の温度を検出する温度検出手段をさらに備えてなり，
前記抵抗値設定手段は，前記温度検出手段によって検出された温度が予め設定された所定の温度閾値より低くなるように前記入力経路の抵抗値を設定するものである請求項１に記載の映像表示装置。
【請求項３】
前記所定の温度閾値を設定する温度閾値設定手段をさらに備えてなる請求項２に記載の映像表示装置。
【請求項４】
前記抵抗値設定手段が，
前記入力経路上に接続された１又は複数の抵抗と，
複数の前記各抵抗に並列に接続されて，前記各抵抗の両端の短絡の有無を切り換える複数の抵抗切替スイッチと，
前記電源装置が前記映像表示パネルに供給する電力に応じて，複数の前記各抵抗切替スイッチによる前記各抵抗の両端の短絡の有無を切り換えることによって，前記入力経路の抵抗値を設定する抵抗制御手段と，
を具備してなる請求項１〜３のいずれかに記載の映像表示装置。
【請求項５】
前記映像表示パネルに供給されている電流値を検出する電流検出手段をさらに備えてなり，
前記抵抗値設定手段は，前記電流検出手段によって検出された電流値が高いほど前記入力経路の抵抗値を大きく設定するものである請求項１〜４のいずれかに記載の映像表示装置。
【請求項６】
前記抵抗値設定手段は，前記映像表示パネルの表示内容に応じて，前記入力経路の抵抗値を設定するものである請求項１〜５のいずれかに記載の映像表示装置。
【請求項７】
前記抵抗値設定手段は，前記映像表示パネルに映像を表示させない場合の前記入力経路の抵抗値を前記映像表示パネルに映像を表示させる場合の前記入力経路の抵抗値よりも小さく設定するものである請求項６に記載の映像表示装置。
【請求項８】
所定の期間毎に，その期間内に前記映像表示パネルに表示させる映像の階調の平均値を算出する平均階調算出手段をさらに備えてなり，
前記抵抗値設定手段は，前記平均階調算出手段によって算出された平均値に応じて，前記入力経路の抵抗値を設定するものである請求項６に記載の映像表示装置。
【発明の詳細な説明】
【技術分野】
【０００１】
本発明は，高周波で動作するスイッチング素子を備えたＤＣ−ＤＣコンバータによって映像表示パネルに印加する電圧を変化させる直流電源を備えた映像表示装置に関し，特に，前記直流電源におけるＥＭＩの発生量の抑制を図る技術に関するものである。
【背景技術】
【０００２】
一般に，映像を表示する液晶パネルを備えてなる液晶表示装置（映像表示装置の一例）では，その液晶パネルに映像を表示させる際に，映像の階調度に応じて各液晶素子の透過率を変更させるため，電源装置から各液晶素子の透過率に応じた電圧を液晶パネルに印加する必要がある。このような液晶表示装置に使用される電源装置には，入力された直流電圧を別の直流電圧に変換する際のエネルギー変換効率が重視されるため，リニア式のＤＣ−ＤＣコンバータではなく，スイッチング素子（ＭＨｚオーダー）を備えたＤＣ−ＤＣコンバータが採用されている。このＤＣ−ＤＣコンバータのスイッチング素子を動作させるために，スイッチング素子の制御端子（ゲート）に，高周波のスイッチング信号（パルス信号）が送られる。
このような電源装置では，高周波（数ＭＨｚ）による高速な電流の変動に起因して電磁波ノイズ（以下，ＥＭＩ（Electro-Magnetic Interference）と略す。）が発生する。このとき，ＥＭＩの発生量は，スイッチング素子に入力されるスイッチング信号のオーバーシュート・アンダーシュート（又は，髭状のスパイクノイズ）の振幅が大きくなり，該スイッチング素子の出力電流のオーバーシュート・アンダーシュートの振幅が大きくなるにつれて増大する。
このＥＭＩ発生の対策として，スイッチング素子へのスイッチング信号の入力経路上の抵抗値を高くする方法がある。前記入力経路上の抵抗値を高くすることによって，スイッチング素子に入力されるスイッチング信号のオーバシュート・アンダシュートの振幅が小さくなり，該スイッチング素子の出力電流のオーバシュート・アンダシュートも小さくなるため，該スイッチング素子によるＥＭＩの発生を抑制することができる。
しかし，スイッチング素子へのスイッチング信号の抵抗値が高くなったことに伴い，スイッチング信号の立ち上がり時間・立下り時間が長くなると，スイッチング素子における損失（ドレイン損失）が増大し，スイッチング素子の温度が上昇してしまう。
そこで，例えば特許文献１では，プリンタの起動時と起動時以外との各状態に応じてスイッチング素子の制御端子の抵抗値を変更し，ＥＭＩの発生とスイッチング素子の昇温とのいずれを抑制するかを調整することが提案されている。
【先行技術文献】
【特許文献】
【０００３】
【特許文献１】特開２００６−１５８０７７号公報
【発明の概要】
【発明が解決しようとする課題】
【０００４】
しかしながら，特許文献１に記載の方法は，液晶パネルを有する映像表示装置のように，電源投入後もその液晶パネルの表示内容などによって電源装置が供給する電力が時々刻々変動するものにおいて，その変動を考慮してＥＭＩの発生とスイッチング素子の温度上昇とのいずれを抑制するかを考慮したものではない。
従って，本発明は上記事情に鑑みてなされたものであり，その目的とするところは，電源装置におけるＥＭＩの発生とスイッチング素子の温度上昇とのいずれを抑制するかを該電源装置が映像表示パネルに供給する電力に応じて調整することが可能な映像表示装置を提供することにある。
【課題を解決するための手段】
【０００５】
上記目的を達成するために本発明は，映像を表示する映像表示パネルと，入力されるスイッチング信号によりスイッチング動作をすることによって，前記映像表示パネルに供給する電力を制御するスイッチング素子を含む電源装置と，前記電源装置が前記映像表示パネルに供給する電力に応じて，前記スイッチング素子への前記スイッチング信号の入力経路の抵抗値を設定する抵抗値設定手段とを具備してなる映像表示装置として構成される。
本発明に係る前記映像表示装置は，時々刻々変動する前記電源装置が前記映像表示パネルに供給する電力に応じて，ＥＭＩ対策を重視して入力経路の抵抗値を上げた設定にしたり，前記スイッチング素子の昇温対策を重視して前記入力経路の抵抗値を下げた設定にしたりすることができる。具体的な例として，前記電源装置としてＤＣ−ＤＣコンバータを使用し，前記スイッチング素子としてＦＥＴ（Field effect transistor）を使用する場合に，前記電源装置に接続された前記映像表示パネルの消費電力の変動に応じてＦＥＴのゲート端子の入力経路の抵抗値を変更することによって，ＦＥＴを高速動作させることに起因するＥＭＩの抑制を重視した動作状態とＦＥＴのドレイン損失に起因する昇温抑制を重視した動作状態とを適宜変更することができる。但し，ＥＭＩ対策の為に，ゲート端子の入力経路に接続された抵抗値を上げ過ぎると，ドレイン損失によってＦＥＴの温度が上昇し過ぎる可能性がある。
そこで，本発明に係る映像表示装置は，前記映像表示パネル及び／又は前記電源装置の温度を検出する温度検出手段をさらに備えてなり，前記抵抗値設定手段は，前記温度検出手段によって検出された温度が予め設定された所定の温度閾値より低くなるように前記入力経路の抵抗値を設定するものであることが望ましい。これによって，前記映像表示パネルや前記電源装置などの温度が，前記所定の温度閾値以上になることを防止しつつ，極力ＥＭＩを抑制することができる。
さらに好ましくは，本発明に係る前記映像表示装置は，前記所定の温度閾値を設定する温度閾値設定手段をさらに備えてなるものであることが考えられる。この場合，当該映像表示装置を設置する場所に応じて，前記温度閾値設定手段により前記所定の温度閾値を変更することが可能となるため，ＥＭＩ対策と昇温対策とのバランスを変更することができる。例えば，当該映像表示装置を自動車内に搭載する場合には，他の装置によるＥＭＩが多く，前記映像表示装置によるＥＭＩの影響が低い一方，車内の温度上昇が問題になりやすいため，前記所定の温度閾値を比較的低めに設定することにより，ＥＭＩ対策よりも温度上昇に重点をおいた運用を行うことができる。また，当該映像表示装置を病院に設置する場合には，エアコンなどによって温度上昇が抑えられる一方，他の機器へのＥＭＩの影響が大きいことから，前記所定の温度閾値を比較的高めに設定することにより，温度上昇よりもＥＭＩ対策に重点をおいた運用を行うことができる。
【０００６】
具体的に，本発明の前記抵抗値設定手段が，前記入力経路上に接続された１又は複数の抵抗と，複数の前記各抵抗に並列に接続されて，前記各抵抗の両端の短絡の有無を切り換える複数の抵抗切替スイッチと，前記電源装置が前記映像表示パネルに供給する電力に応じて，複数の前記各抵抗切替スイッチによる前記各抵抗の両端の短絡の有無を切り換えることによって，前記入力経路の抵抗値を設定する抵抗制御手段とを具備してなる映像表示装置として構成される。この場合，前記抵抗制御手段によって，前記スイッチング素子に入力されるスイッチング信号（パルス信号）が経由する前記抵抗の数が前記複数の抵抗切換スイッチによって変更されることにより，前記入力経路の抵抗値が変更されることとなる。
ところで，前記電源装置から前記映像表示パネルに流れる電流値は，前記映像表示パネルの消費電力に対応する。そこで，本発明に係る前記映像表示装置は，前記映像表示パネルに供給されている電流値を検出する電流検出手段をさらに備えてなり，前記抵抗値設定手段は，前記電流検出手段によって検出された電流値が高いほど前記入力経路の抵抗値を大きく設定するものであることが考えられる。これにより，前記電源装置が前記映像表示パネルに供給する電力に応じて前記入力経路の抵抗値を設定することができるので，前記電源装置が前記映像表示パネルに供給する電力の変動に応じたＥＭＩ対策と昇温対策とのバランスを図ることができる。
【０００７】
また，前記抵抗値設定手段は，前記映像表示パネルの表示内容に応じて，前記入力経路の抵抗値を設定するものであることが考えられる。即ち，前記映像表示パネルの消費電力は，表示内容（例えば，映像の明るさの程度，映像情報の有無）によって異なるため，該表示内容に応じて前記入力経路の抵抗値を設定することにより，前記電源装置が前記映像表示パネルに供給する電力に応じたＥＭＩ対策と昇温対策とのバランスを図ることができる。
具体的に，前記抵抗値設定手段は，前記映像表示パネルに映像を表示させない場合の前記入力経路の抵抗値を前記映像表示パネルに映像を表示させる場合の前記入力経路の抵抗値よりも小さく設定するものであることが考えられる。また，ブランキング期間中は，映像表示中に比べて抵抗値を低く設定することが考えられる。この場合，前記映像表示パネルの消費電力は，映像を表示させる場合の方が映像を表示させない場合よりも大きくなるので，映像を表示させない場合の前記入力経路の抵抗値を映像を表示させる場合の前記入力経路の抵抗値よりも低くすることによって，ＥＭＩ対策と昇温対策とのバランスを図ることができる。
また，本発明に係る映像表示装置は，所定の期間毎に，その期間内に前記映像表示パネルに表示させる映像の階調の平均値を算出する平均階調算出手段をさらに備えてなり，前記抵抗値設定手段は，前記平均階調算出手段によって算出された平均値に応じて，前記入力経路の抵抗値を設定するものであることが考えられる。例えば，表示する横１ライン毎に映像内容に応じて，前記入力経路の抵抗値を設定することによって，前記電源装置が前記映像表示パネルに供給する電力に応じて適宜ＥＭＩ対策と昇温対策とのバランスを図ることができる。尚，一般的に前記映像表示パネルがノーマリーブラックの液晶表示パネルの場合，階調の平均値が白色に近いほど消費電力が高くなり，ノーマリーホワイトの液晶表示パネルの場合，階調の平均値が白色に近いほど消費電力が低くなる。
【発明の効果】
【０００８】
本発明によれば，前記電源装置におけるＥＭＩの発生と前記スイッチング素子の温度上昇とのいずれを抑制するかを該電源装置が前記映像表示パネルに供給する電力に応じて調整することが可能となる。
【図面の簡単な説明】
【０００９】
【図１】本発明の実施形態に係る映像表示装置の一例であるテレビジョン受像機Ｘの概略構成を表すブロック図。
【図２】テレビジョン受像機ＸにおけるＥＭＩ発生のタイミングと抵抗値を変更するタイミングとのシーケンス図。
【図３】図２のＥＭＩ発生のタイミングと抵抗値を変更するタイミングとのシーケンスの要部拡大図。
【発明を実施するための形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
【００１１】
まず，図１に示される概略構成図を参照しつつ，本発明の実施形態に係るテレビジョン受像機Ｘの構成について説明する。
図１に示されるように，テレビジョン受像機Ｘは，ＤＣ−ＤＣコンバータ１０，液晶パネル１８，液晶駆動部１９，電流検出器２１，温度計２２，モード切替設定部２４，負荷判別部２５，Ｔ−ＣＯＮ４０及び映像用メモリ４１等を備えている。
ＤＣ−ＤＣコンバータ１０は，ＦＥＴ１１ａ，ＦＥＴ１１ｂ，ゲート用抵抗１２ａ，１２ｂ，スイッチ１３ａ，１３ｂ，パルス信号発生器１４，ゲート抵抗制御部１５，入力コンデンサ１６ａ，出力コンデンサ１６ｂ，コイル１７，直流電源３１を備えている。なお，ＤＣ−ＤＣコンバータ１０は，電源装置の一例である。
液晶パネル１８は，各画素に対応して設けられ，印加される電圧に応じて光の透過量が変動する多数の液晶素子を備えており，各画素の液晶素子に印加される電圧に応じて映像を表示する映像表示パネルの一例である。なお，本発明に係る映像表示装置は，液晶パネルを有する液晶表示装置に限らず，他にプラズマディスプレイ，ブラウン管，有機ＥＬ（Electro-Luminescence）ディスプレイなどを有する映像表示装置も本発明に係る映像表示装置の一例である。
液晶駆動部１９は，液晶パネル１８の各画素に対応して配置されたトランジスタをオン・オフして液晶素子への印加電圧（液晶パネル１８の横１ライン（走査ライン）毎に印加する電圧である走査信号電圧及び，液晶パネル１８の各画素毎に印加する電圧である表示信号電圧）を制御して，映像を表示させる。また，前記液晶駆動部１９は，液晶パネル１８の走査ライン数よりも多くのレジスタを有するシフトレジスタと，ＤＣ−ＤＣコンバータ１０の直流電圧のレベルを変換して液晶パネル１８の各液晶素子のゲートを印加するレベル変換器とを備える。尚，液晶駆動部１９の前記シフトレジスタの最初の数レジスタと最後の数レジスタを除く他の全てのレジスタが，液晶パネル１８の走査ラインに対応しており，各前記レジスタの値（０又は１）を液晶駆動部１９の前記レベル変換器に出力する。また，液晶駆動部１９の前記レベル変換器が，各前記レジスタの値（０又は１）に応じて直流電圧を変換し，液晶パネル１８の各液晶素子のゲートを印加する。
直流電源３１は，例えば商用交流電圧（ＡＣ１００Ｖ）を所定の直流電圧に変換して出力するものである。
入力コンデンサ１６ａは，直流電源３１から供給される電流のノイズ成分を除去する。
コイル１７は，ＦＥＴ１１ａがオンすると，直流電源３１から流れる電流を磁界エネルギーとして蓄え，ＦＥＴ１１ａがオフすると，蓄えた磁界エネルギーを放出して，出力コンデンサ１６ｂ，液晶駆動部１９側に電流を流す。これにより，ＤＣ−ＤＣコンバータ１０では，直流電源３１からの出力電圧が，コイル１７による磁界エネルギーの重畳によって昇圧されることとなる。出力コンデンサ１６ｂは，コイル１７からの出力電圧を平滑化直流電圧にする。
【００１２】
ＦＥＴ１１ａ，ＦＥＴ１１ｂは，ゲートに入力されるスイッチング信号に従ってソース−ドレイン間の通電の有無を切り換えるスイッチング動作を行うことによって，液晶パネル１８に供給する電力を制御するスイッチング素子の一例である。
具体的に，ＦＥＴ１１ａは，ゲートに印加された電圧値が所定の値（例えば，０．７Ｖ）より高い場合に，ソース−ドレイン間を通電状態にする。一方，ＦＥＴ１１ｂは，ゲートに印加された電圧値が所定の値（例えば，０．７Ｖ）より低い場合に，ソース−ドレイン間を通電状態にする。従って，後述のパルス信号発生器１４から入力されるスイッチング信号に基づくＦＥＴ１１ａ及びＦＥＴ１１ｂのスイッチング動作は相反する動作となる。
ＦＥＴ１１ａのソース−ドレイン間が通電状態になると，直流電源３１からコイル１７に流れる電流が磁界エネルギーとしてコイル１７に蓄積され，ソース−ドレイン間が非通電状態になると，コイル１７に蓄積された磁界エネルギーが放出される。ＦＥＴ１１ａのソース−ドレイン間が非通電状態になる際には，ＦＥＴ１１ｂのゲートに印加される電圧が所定の値より低くなり，ＦＥＴ１１ｂのソース−ドレイン間が通電状態になるので，コイル１７から放出される磁界エネルギーは電流となり，ＦＥＴ１１ｂのソース−ドレイン間を介して，出力コンデンサ１６ｂ及び液晶駆動部１９に流れる。このように，ＦＥＴ１１ａ，ＦＥＴ１１ｂのソース−ドレイン間の通電・非通電が繰り返されることによって，直流電源３１によって印加される直流電圧は，一旦コイル１７で磁界エネルギーとして蓄積された後に，出力コンデンサ１６ｂで平滑されて，変換後の直流電圧となり，液晶駆動部１９に印加される。
【００１３】
パルス信号発生器１４は，液晶駆動部１９が液晶パネル１８の各液晶素子に印加する電圧に応じて，該電圧に対応するデューティ比（ＯＦＦに対するＯＮの比率）のパルス信号を発生させ，ＦＥＴ１１ａ，１１ｂ各々にスイッチング信号として入力するものである。これにより，ＦＥＴ１１ａのソース−ドレイン間に電流が流れる時間が変わるので，コイル１７に蓄積される磁界エネルギー量が変化し，液晶パネル１８に印加する電圧を制御できる。具体的に，液晶パネル１８に印加する電圧を高くする場合にはデューティ比を大きくし，印加する電圧を低くする場合にはデューティ比を低くする。尚，説明の都合上，図１中に２つパルス信号発生器１４を記載しているが，１つでもよい。
【００１４】
ゲート用抵抗１２ａ，１２ｂ各々は，パルス信号発生器１４からＦＥＴ１１ａ，ＦＥＴ１１ｂのゲートへのスイッチング信号の入力経路上に直列に接続された抵抗素子である。前記ＦＥＴ１１ａ，１１ｂのゲートへのスイッチング信号の入力経路上の抵抗値が大きくなるほど，パルス信号発生器１４からＦＥＴ１１ａ，ＦＥＴ１１ｂのゲートに送られるパルスの立ち上がり時間・立下り時間が長くなる。一方，前記ＦＥＴ１１ａ，１１ｂのゲートへのスイッチング信号の入力経路上の抵抗値が小さくなるほど，パルス信号発生器１４からＦＥＴ１１ａ，ＦＥＴ１１ｂのゲートへのスイッチング信号及びＦＥＴ１１ａ，ＦＥＴ１１ｂの出力電流のオーバーシュート，アンダーシュートは大きくなる。以下，ＦＥＴ１１ａ，ＦＥＴ１１ｂのゲートへのスイッチング信号の入力経路の抵抗値をゲート抵抗と称する。
例えば，ゲート用抵抗１２ａ，１２ｂ各々は，同じ抵抗値であっても，或いは１０ＫΩ，２０ＫΩ，３０ＫΩ，５０ＫΩ等の異なる抵抗値であってもよい。また，ゲート用抵抗１２ａ，１２ｂ各々は，直列に接続するのみならず，並列に接続したり，直列・並列を組み合わせた接続にしてもよい。尚，ゲート用抵抗１２ａ，１２ｂは，前記入力経路上に接続された１又は複数の抵抗の一例である。
スイッチ１３ａ，１３ｂ各々は，各ゲート用抵抗１２ａ，１２ｂに並列に接続され，各ゲート用抵抗１２ａ，１２ｂの両端の短絡の有無を切り換える抵抗切替スイッチの一例である。スイッチ１３ａ，１３ｂの切り換え動作によって，ＦＥＴ１１ａ，ＦＥＴ１１ｂのゲート抵抗が変わる。
【００１５】
映像用メモリ４１は，液晶パネル１８に表示させる１ライン毎の映像情報を一時記憶するものである。
Ｔ−ＣＯＮ（Timing−CONtroller）４０は，液晶駆動部１９が液晶パネル１８の各素子を駆動させるクロックなどのパルス信号を生成出力する。その際に，Ｔ−ＣＯＮ４０は，液晶分子の劣化を防止するために液晶パネル１８に印加する電圧をフレームやライン毎に反転した反転パルス信号をも生成出力する。さらに，Ｔ−ＣＯＮ４０は，受信した映像信号や映像用メモリ４１の信号を液晶パネル１８の各素子が，正しく画像，色を表現できるようなフォーマットにデータを並び替えて，液晶駆動部１９に信号を送る。また，Ｔ−ＣＯＮ４０は，ＦＥＴ１１ａ，ＦＥＴ１１ｂのゲートに入力されるパルスの立ち上がり・立下りタイミングとスイッチ１３ａ，１３ｂを切り換えるタイミングとが重なって，ＥＭＩの発生原因となるノイズがスイッチング信号に重畳されることを防止するために，ＦＥＴ１１ａ，ＦＥＴ１１ｂのゲートに入力されるパルスの立ち上がり・立下りタイミングとは異なるタイミングでスイッチ１３ａ，１３ｂのオン・オフを切り換えるためのクロック信号をゲート抵抗制御部１５に出力する。また，Ｔ−ＣＯＮ４０は，映像用メモリ４１に記憶された情報を液晶駆動部１９と負荷判別部２５とに出力する。
電流検出器２１は，ＤＣ−ＤＣコンバータ１０によって変換された直流電圧を液晶駆動部１９に印加する際に流れる電流値を検出し，検出された電流値を負荷判別部２５に出力する。電流検出器２１によって検出された電流値の変動は，液晶パネル１８が表示画像の階調度に応じて各液晶素子の透過率を変更する際に印加する電圧の変動に比例する。尚，電流検出器２１は，電流検出手段の一例である。
温度計２２は，液晶パネル１８やＤＣ−ＤＣコンバータ１０，テレビジョン受像機Ｘの温度を測定したり，他の温度検出部（過熱防止回路等，不図示）から出力された温度の値を受取り，温度の値を負荷判別部２５に出力する。尚，温度計２２は，温度検出手段の一例である。
【００１６】
負荷判別部２５は，ＤＣ−ＤＣコンバータ１０が液晶パネル１８に供給する電力に応じて，スイッチ１３ａ，１３ｂのオン・オフを制御するためのゲート抵抗制御信号をゲート抵抗制御部１５に出力する。具体的に，負荷判別部２５は，電流検出器２１から出力された電流値，温度計２２から出力された温度の値，及び予め設定された上限温度（所定の温度閾値の一例）に応じて，スイッチ１３ａ，１３ｂのオン・オフを制御するためのゲート抵抗制御信号をゲート抵抗制御部１５に出力する。
ゲート抵抗制御部１５は，負荷判別部２５からの前記ゲート抵抗制御信号とＴ−ＣＯＮ４０からのクロック信号とに従って，スイッチ１３ａ，１３ｂのオン・オフを切り替えることにより，ゲート抵抗を設定する。なお，負荷判別部２５及びゲート抵抗制御部１５の具体的動作については後段で詳述する。
なお，モード切替設定部２４は，負荷判別部２５における判断指標として用いられる前記上限温度を予め設定し，負荷判別部２５に入力する。ここに，前記上限温度を設定するときのモード切替設定部２４が温度閾値設定手段に相当する。具体的に，モード切換設定部２４は，不図示のリモコンなどの操作入力部へのユーザ操作やテレビジョン受像機Ｘの動作に係る設定内容に応じて上限温度を予め設定する。もちろん，前記上限温度は，テレビジョン受像機Ｘの製造時などに初期設定されたものであってもよい。
【００１７】
以下，図２及び図３を参照しつつ，テレビジョン受像機ＸにおけるＤＣ−ＤＣコンバータ１０の動作の一例について説明する。
ここでは，負荷判別部２５が，電流検出器２１から出力された電流値と温度計２２から出力された温度の値とに基づいて，ゲート抵抗制御信号をゲート抵抗制御部１５に出力し，ＦＥＴ１１ａ，ＦＥＴ１１ｂのゲート抵抗をゲート抵抗制御部１５によって変更させる場合を例に挙げて説明する。なお，ＦＥＴ１１ａ，１１ｂのゲートに入力されるスイッチング信号のオーバーシュート及びアンダーシュート各々によるＥＭＩの発生量への影響は同様であるため，ここでは，オーバーシュートの場合のみを例に挙げて図示及びその説明を行う。
ここに，図２の（ａ）はＧＣＫ（ゲートクロック信号），（ｂ）はＧＳＰ（ゲートスタートパルス），（ｃ）はソースドライバ用アナログ電圧ＡＶＤＤ（Ｖｏｕｔ），（ｄ）はＦＥＴ１１ａのゲート信号，（ｅ１）はＦＥＴ１１ａのドレイン電圧（液晶パネル１８を印加するための平滑化前の電圧），（ｅ２）はＦＥＴ１１ｂのドレイン電圧，（ｆ）はゲート抵抗制御部１５が出力するゲート抵抗制御信号，（ｇ）は温度計２２が出力する温度情報の信号である。
ＧＣＫとＧＳＰは，液晶パネル１８に映像を表示させる際に，液晶駆動部１９を駆動するための制御信号である。ゲート抵抗制御信号は，ゲート抵抗制御部１５がオフするスイッチ１３ａ，１３ｂの数に関する情報を示しており，その値が大きいほどＦＥＴ１１ａ，１１ｂへのスイッチング信号の入力経路上で直列接続されるゲート用抵抗１２ａ，１２ｂの数が増加し，該ＦＥＴ１１ａ，１１ｂのゲート抵抗が大きくなる。
【００１８】
先ず，図２（ａ），（ｂ）に示すように，Ｔ−ＣＯＮ４０から液晶駆動部１９にＧＳＰとＧＣＫが入力され，液晶駆動部１９のシフトレジスタは，ＧＳＰの信号レベルをＧＣＫの立ち上がりで取り込み先頭レジスタの１ビットの信号とし，該１ビットの信号をＧＣＫが立ち下がるタイミングで後段のレジスタにシフトしていく。その後，前記シフトレジスタの液晶パネル１８の走査ラインに対応するレジスタの値が１になると，液晶駆動部１９の前記レベル変換器が，該走査ラインの各液晶素子のゲートを直流電圧により印加してオン状態にし，１ラインの画像の書き込みが開始される。このとき，ＧＣＫが立ち下がるタイミング付近では，液晶パネル１８が各液晶素子の透過率を変動させるために該液晶パネル１８に供給すべき電力が大きくなり，ソースドライバ用アナログ電圧ＡＶＤＤが不足する（図２（ｃ）参照）。
そのため，ソースドライバ用アナログ電圧ＡＶＤＤの値が低くなる部分では，液晶駆動部１９は，液晶パネル１８に必要な印加電圧（負荷）を確保するべく，パルス信号発生器１４で生成されるスイッチング信号のデューティー比を高めて，ＦＥＴ１１ａ，ＦＥＴ１１ｂのドレイン電流を増大させる。このとき，ＤＣ−ＤＣコンバータ１０では，液晶パネル１８に映像を表示させるために液晶駆動部１９から液晶パネル１８に印加される電圧が，高周波のスイッチング信号に基づくＦＥＴ１１ａ，１１ｂのスイッチング動作によって生成される（図２（ｄ）参照）。ここで，前述したように，ＦＥＴ１１ａ，ＦＥＴ１１ｂにおけるＥＭＩの発生量は，ＦＥＴ１１ａ，１１ｂのドレイン電圧のオーバーシュート，アンダーシュートが大きいほど，即ちＤＣ−ＤＣコンバータ１０から液晶パネル１８に供給する電力が大きいほど多くなる。特に，ＤＣ−ＤＣコンバータ１０から液晶パネル１８に供給する電力が大きいほど，ＦＥＴ１１ａ，１１ｂのゲートに入力されるスイッチング信号のオーバーシュート，アンダーシュートによるＦＥＴ１１ａ，１１ｂのドレイン電圧のオーバーシュート，アンダーシュートへの影響が大きくなる。
【００１９】
そこで，ＤＣ−ＤＣコンバータ１０では，負荷判別部２５及びゲート抵抗制御部１５が，ＦＥＴ１１ａ，１１ｂのオーバーシュートの振幅を抑制するべく，該ＤＣ−ＤＣコンバータ１０が液晶パネル１８に供給する電力（負荷）に応じてＦＥＴ１１ａ，１１ｂのゲート抵抗を設定する。具体的に，負荷判別部２５及びゲート抵抗制御部１５は，ＤＣ−ＤＣコンバータ１０から液晶パネル１８に供給する電力が大きいほどＦＥＴ１１ａ，１１ｂのゲート抵抗を高く，液晶パネル１８に供給する電力が小さいほどＦＥＴ１１ａ，１１ｂのゲート抵抗を低く設定する。
より詳細には，負荷判別部２５が，ＤＣ−ＤＣコンバータ１０から液晶パネル１８に供給される電力の大きさの判断指標となる電流検出器２１によって検出された電流値に応じて，ゲート抵抗制御部１５に出力するゲート抵抗制御信号の値を「０」〜「３」の範囲で制御する。そして，ゲート抵抗制御部１５は，前記ゲート抵抗制御信号に応じてスイッチ１３ａ，１３ｂによるゲート抵抗１２ａ，１２ｂの短絡の有無を切り替えることにより，ＦＥＴ１１ａ，１１ｂに接続されたゲート用抵抗１２ａ，１２ｂの数を切り替え，ＦＥＴ１１ａ，１１ｂ各々のゲート抵抗を設定する。
ここに，係る動作を行うときのゲート抵抗制御部１５及び負荷判別部２５が抵抗制御手段の一例であり，ゲート用抵抗１２ａ，１２ｂ，スイッチ１３ａ，１３ｂ，ゲート抵抗制御部１５及び負荷判別部２５が抵抗値設定手段の一例である。
【００２０】
これにより，ＤＣ−ＤＣコンバータ１０から液晶パネル１８に供給される電力が大きい場合に，ＦＥＴ１１ａ，１１ｂにおけるオーバーシュートを抑制し，ＥＭＩの発生量を抑制することができる。
具体的に，液晶駆動部１９による画像の書き込みが行われ，ソースドライバ用アナログ電圧ＡＶＤＤが低下する間，即ち液晶パネル１８に供給する電力が高くなるタイミングでは，ゲート抵抗制御部１５及び負荷判別部２５によって，電流検出器２１によって検出された電流値が高くなるほどＦＥＴ１１ａ，１１ｂのゲート抵抗が高く設定される。例えば，図２に示す例では，初めのＧＣＫの入力後，前記ゲート抵抗制御信号は「０」から「３」に変更されている（図２（ｆ））。
ここに，図３は，図２（ｃ）〜（ｅ２）の破線部を拡大した図である。図３に示すように，電流検出器２１によって検出された電流値が高くなることに応じてＦＥＴ１１ａ，１１ｂのゲート抵抗が高く設定されると，ＦＥＴ１１ａ，１１ｂのゲート信号の立ち上がりがなまる（緩やかに行われる）ことになる（図３（ｄ）の破線部参照）。そのため，その間のＦＥＴ１１ａ，１１ｂのゲート信号のオーバーシュートが低減され，ドレイン電圧におけるオーバーシュートが低減されることとなり（図３（ｅ１）（ｅ２）の破線部参照），ＦＥＴ１１ａ，１１ｂにおけるＥＭＩの発生量が抑制される。
【００２１】
ところで，ＦＥＴ１１ａ，１１ｂのゲート抵抗が高くなり，該ＦＥＴ１１ａ，１１ｂの立ち上がりがなまってその遷移時間が長くなると，該ＦＥＴ１１ａ，１１ｂの温度はドレイン損失によって上昇することになる。
そのため，負荷判別部２５及びゲート抵抗制御部１５は，電流検出器２１によって検出された電流値のみならず，温度計２２によって検出された液晶パネル１８やＤＣ−ＤＣコンバータ１０，テレビジョン受像機Ｘの温度にも基づいて，該温度計２２による検出温度が予め設定された上限温度より低くなるように，ＦＥＴ１１ａ，１１ｂのゲート抵抗を設定する。ここでは，前記モード切替設定部２４によって，前記上限温度が予め５０℃に設定されている場合を例に挙げて説明する。
【００２２】
この場合，図２（ｇ）に示すように，温度計２２からの温度情報の信号が，前記上限温度よりも低い「３０」℃である旨を示すものである場合，負荷判別部２５は，ＦＥＴ１１ａ，１１ｂのゲート抵抗を定めるゲート抵抗制御信号を，電流検出器２１によって検出された電流値に応じて「０」〜「３」の範囲で設定する。
例えば，図２における一つ目のＧＣＫ信号の入力後には，ソースドライバ用アナログ電圧ＡＶＤＤの低下が大きく液晶パネル１８に供給される電力が大きくなるため，ゲート抵抗制御信号は最大の「３」に設定される。これにより，ＦＥＴ１１ａ，１１ｂのゲートには全てのゲート用抵抗１２ａ，１２ｂが接続されることとなり，ゲート抵抗が最大値となる。これにより，ＦＥＴ１１ａ，１１ｂのＥＭＩの発生量が最も抑制される状態となる。
【００２３】
一方，図２（ｇ）に示すように，温度計２２からの温度情報の信号が，前記上限温度以上である「５０」℃である旨を示すものである場合，負荷判別部２５は，ゲート抵抗制御信号を予め設定された上限値を上限とする範囲で設定する。この上限値は，温度計２２による検出温度を前記上限温度よりも低い状態に維持することができる値として予め設定されたものである。例えば，前記上限値は，予め行われた実験やシミュレーションの結果に応じて設定しておけばよい。ここでは，前記ゲート抵抗制御信号の上限値が「２」であるものとする。
この場合，図２における三つ目のＧＣＫ信号の入力後には，一つ目のＧＣＫ信号の入力時と同様に，ソースドライバ用アナログ電圧ＡＶＤＤの低下が大きく液晶パネル１８に供給される電力が大きくなり，本来はゲート抵抗制御信号は最大の「３」に設定されるべきであるが，負荷判別部２５は，ゲート抵抗制御信号の上限値を，温度計２２による検出温度に応じて「２」に制限する。これにより，ＦＥＴ１１ａ，１１ｂではドレイン損失が低減されて発熱量が抑制され，温度計２２による検出温度が前記上限温度よりも低くなるという温度状態を維持することができる。
従って，ＤＣ−ＤＣコンバータ１０では，前記上限温度「５０」℃よりも低い状態を維持しつつ，ＦＥＴ１１ａ，１１ｂのＥＭＩの発生量を極力抑制することができる。
【００２４】
以上説明したように本発明の映像表示装置の一例であるテレビジョン受像機Ｘによれば，ＤＣ−ＤＣコンバータ１０が液晶パネル１８に供給する電力（ここでは液晶パネル１８に流れる電流値）に応じて，ＦＥＴ１１ａ，１１ｂへのスイッチング信号の入力経路の抵抗値を増減させることにより，ＥＭＩの発生を抑制し，又は，温度上昇を抑制することができる。
特に，温度計２２による検出温度が予め設定された上限温度よりも低くなるようにＦＥＴ１１ａ，１１ｂへのスイッチング信号の入力経路の抵抗値の設定範囲を制限することで，該上限温度よりも低い温度状態を維持しつつ，ＦＥＴ１１ａ，１１ｂによるＥＭＩの発生量を極力抑制することができる。
【実施例１】
【００２５】
前記実施の形態では，前記ＤＣ−ＤＣコンバータ１０から液晶パネル１８に供給する電力の大きさの判断指標として前記電流検出器２１によって検出された電流値を用い，該電流値に応じて前記ＦＥＴ１１ａ，１１ｂのゲート抵抗を設定する場合を例に挙げて説明した。
一方，電流検出器２１によって検出された電流値に代えて，前記液晶パネル１８の表示内容をＤＣ−ＤＣコンバータ１０から液晶パネル１８に供給する電力の大きさの判断指標として用い，該液晶パネル１８の表示内容に応じて前記ＦＥＴ１１ａ，１１ｂのゲート抵抗を設定してもよい。もちろん，電流検出器２１によって検出された電流値と前記液晶パネル１８の表示内容との両方に応じて前記ＦＥＴ１１ａ，１１ｂのゲート抵抗を設定することも考えられる。
【００２６】
例えば，負荷判別部２５が，横１ライン（所定の期間の一例）毎にその期間内に液晶パネル１８に表示させる映像の階調の平均値を算出する平均階調算出機能をさらに備え，算出した横１ラインの階調平均に応じてゲート抵抗制御部１５に入力するゲート抵抗制御信号を設定するものであることが考えられる。なお，負荷判別部２５は，映像用メモリ４１に記憶された映像データに基づいて横１ラインの階調平均を算出する。ここに，前記平均階調算出機能を具現するときの負荷判別部２５が手段に相当する。
例えば，液晶パネル１８がノーマリーブラックで，映像の階調が０〜２５５（黒色から白色に対応）の範囲で示されるものであるとき，負荷判別部２５は，算出した階調平均が０〜１２７である場合にはゲート抵抗制御信号を「０」〜「３」の範囲で設定し，算出された階調平均が１２８〜２５５である場合にはゲート抵抗制御信号を「０」〜「２」の範囲で設定することが考えられる。
なお，負荷判別部２５が備えるライン平均階調算出機能は，横１ライン毎の階調の平均値を算出することに限らず，１フレーム毎や数ライン毎又は数フレーム毎に平均値を算出するものであってもよい。
【００２７】
また，液晶パネル１８の表示内容の他の例として，テレビジョン受像機Ｘが所定の時間内に普通の使用状態で表示するフレームの倍数のフレームを表示する倍速モードで動作するか否かに応じて，前記ＦＥＴ１１ａ，１１ｂのゲート抵抗を設定することも考えられる。
具体的に，負荷判別部２５は，通常モードで動作する場合には，ゲート抵抗制御信号の値を「０」に設定し，倍速モードで動作する場合には，ゲート抵抗制御信号の値を「３」に設定して，ＦＥＴ１１ａ，１１ｂのゲート抵抗を調整することが考えられる。これにより，ＤＣ−ＤＣコンバータ１０から液晶パネル１８に供給される電力が増加する倍速モードにおけるＥＭＩの発生量を抑制することができる。また，通常モード及び倍速モードのいずれであるかに応じて，ゲート抵抗制御信号の設定可能範囲を変更することも考えられる。
なお，この場合には，例えばモード切替設定部２４が，当該テレビジョン受像機Ｘのメイン制御部（不図示）から動作モードを示すモード信号を取得し，負荷判別部２５にそのモード信号を入力することが考えられる。これにより，負荷判別部２５は，そのモード信号に基づいて通常モード及び倍速モードのいずれかであるかを判断することが可能である。
【００２８】
さらに，液晶パネル１８の表示内容の他の例として，テレビジョン受像機Ｘによって受信されて液晶パネル１８に表示されているテレビジョン放送のチャンネルが変わった際に，元のチャンネルの映像表示が終わってから次のチャンネルの映像表示が始まるまでの期間（ブランク期間）であるか否かに応じて，前記ＦＥＴ１１ａ，１１ｂのゲート抵抗を設定することも考えられる。
具体的に，負荷判別部２５は，液晶パネル１８に映像を表示させる場合には，ゲート抵抗制御信号を「２」に設定し，液晶パネル１８に映像を表示させない場合は，ゲート抵抗制御信号を液晶パネル１８に映像を表示させる場合よりも小さい「０」に設定することが考えられる。即ち，液晶パネル１８に映像を表示させない場合のＦＥＴ１１ａ，１１ｂのゲート抵抗が，液晶パネル１８に映像を表示させる場合のＦＥＴ１１ａ，１１ｂのゲート抵抗よりも小さく設定されることとなる。これにより，液晶パネル１８に映像を表示させる場合にはＥＭＩの発生を抑制し，液晶パネル１８に映像を表示させない場合にはＦＥＴ１１ａ，１１ｂの不要な温度上昇を抑制することができる。なお，水平同期信号や垂直同期信号におけるブランキング期間も同様に，ＦＥＴ１１ａ，１１ｂのゲート抵抗を低く設定することが考えられる。
なお，この場合には，例えばモード切替設定部２４が，当該テレビジョン受像機Ｘのメイン制御部（不図示）からチャンネルの切替信号を取得し，負荷判別部２５にそのチャンネルの切替信号を入力することが考えられる。これにより，負荷判別部２５は，そのチャンネルの切替信号に基づいて液晶パネル１８に映像が表示されるか否かを判断することが可能である。
【実施例２】
【００２９】
ここでは，ユーザが任意にＤＣ−ＤＣコンバータ１０の温度上昇とＥＭＩの発生量とのいずれを優先するかのモードを選択し得る構成について説明する。
まず，モード切替設定部２４は，ユーザによるリモコンなどの操作に応じて，ＤＣ−ＤＣコンバータ１０の温度上昇を抑制する「昇温抑制モード」と，ＥＭＩの発生量を抑制する「ＥＭＩ抑制モード」とのいずれを選択し，そのモードの内容を負荷判別部２５に入力する。なお，「昇温抑制モード」は，例えば自動車内でテレビジョン受像機Ｘを使用する場合など，ＥＭＩ抑制よりも温度上昇の抑制を重視する場合に用いられる。また，「ＥＭＩ抑制モード」は，例えば病院内でテレビジョン受像機Ｘを使用する場合など，ＥＭＩ抑制を重視する場合に用いられる。
そして，負荷判別部２５は，モード切替設定部２４から「昇温抑制モード」である旨が通知された場合には，前記ゲート抵抗制御信号の上限値を「２」に設定し，モード切替設定部２４から「ＥＭＩ抑制モード」である旨が通知された場合には，前記ゲート抵抗制御信号の上限値を「３」に設定する。
これにより，ユーザによって「昇温抑制モード」が選択されている場合には，負荷判別部２５は，前記ゲート抵抗制御信号を上限値「２」とする「０」〜「２」の範囲で設定することとなり，ＦＥＴ１１ａ，１１ｂの昇温が重点的に抑制される。一方，ユーザによって「ＥＭＩ抑制モード」が選択されている場合には，負荷判別部２５は，前記ゲート抵抗制御信号を上限値「３」とする「０」〜「３」の範囲で設定することとなり，ＦＥＴ１１ａ，１１ｂにおけるＥＭＩの発生抑制が重点的に図られる。
また，前記ゲート抵抗制御信号の上限値の制限の開始時点を変更することで，ＦＥＴ１１ａ，１１ｂの昇温を重点的に抑制するか，ＥＭＩの発生量を重点的に抑制することも考えられる。例えば負荷判別部２５が，ユーザによって「昇温抑制モード」が選択されている場合には，前記上限温度を「５０」℃に設定し，「ＥＭＩ抑制モード」が選択されている場合には，前記上限温度を「６０」℃に設定することにより，前記ゲート抵抗制御信号の上限値の制限の開始時点を変更することが可能である。
【実施例３】
【００３０】
ところで，前記実施の形態では，温度計２２による検出温度が上限温度を超えている場合に，前記ゲート抵抗制御信号の上限値を制限し，その制限の範囲内でＤＣ−ＤＣコンバータ１０から液晶パネル１８に供給する電力（電流検出器２１によって検出された電流値）に応じてＦＥＴ１１ａ，１１ｂのゲート抵抗を設定する場合について説明した。
一方，負荷判別部２５が，液晶パネル１８に供給する電力及び温度計２２による検出温度と，ＦＥＴ１１ａ，１１ｂのゲート抵抗の値との対応関係を予め定めた対応情報を記憶しており，該対応情報に基づいてＦＥＴ１１ａ，１１ｂのゲート抵抗を設定することも他の実施例として考えられる。
また，温度計２２による検出温度によって前記ゲート抵抗制御信号の上限値，即ちＦＥＴ１１ａ，１１ｂのゲート抵抗の上限値を，複数段階に分けて制限することも考えられる。例えば，温度計２２の検出温度が「５０」℃になるまではゲート抵抗制御信号の範囲を「０〜３」，温度計２２の検出温度が「６０」℃になるまではゲート抵抗制御信号を「０〜２」の範囲で設定し，温度計２２の検出温度が「７０」℃になるまではゲート抵抗制御信号を「０〜１」の範囲で設定することが考えられる。
【符号の説明】
【００３１】
Ｘ      ：テレビジョン受像機（映像表示装置の一例）
１０    ：ＤＣ−ＤＣコンバータ（電源装置の一例）
１１ａ  ：ＦＥＴ（スイッチング素子の一例）
１１ｂ  ：ＦＥＴ（スイッチング素子の一例）
１２a    ：ゲート用抵抗
１２b    ：ゲート用抵抗
１３a    ：スイッチ
１３b    ：スイッチ
１４    ：パルス信号発生器
１５    ：ゲート抵抗制御部
１６ａ  ：入力コンデンサ
１６ｂ  ：出力コンデンサ
１７    ：コイル
１８    ：液晶パネル（映像表示パネルの一例）
１９    ：液晶駆動部
２１    ：電流検出器
２２    ：温度計
２４    ：モード切替設定部
２５    ：負荷判別部
３１    ：直流電源
４０    ：Ｔ−ＣＯＮ
４１    ：映像用メモリ
【図１】
2011078193.tif 000003
【図２】
2011078193.tif 000004
【図３】
2011078193.tif 000005